【手続補正書】
【提出日】平成18年6月21日(2006.6.21)
【手続補正１】
【補正対象書類名】特許請求の範囲
【補正対象項目名】全文
【補正方法】変更
【補正の内容】
【特許請求の範囲】
【請求項１】
キャラクタ画像データに基づいてキャラクタ画像を生成する画像生成手段、
前記キャラクタ画像データに対応し、音程パラメータを含むキャラクタ音声データに基づいてキャラクタ音声を生成する音声生成手段、
画像変更操作に従って前記キャラクタ画像データを変更する画像変更手段、および
前記画像変更操作に従った前記キャラクタ画像データの変更と同じ変更に応じて前記音程パラメータを変更する音程変更手段を備える、キャラクタ再生装置。
【請求項２】
前記キャラクタ画像データは前記キャラクタ画像の基本形状を定義する基本画像データと前記基本形状の少なくとも一部に変化を施すための画像変化データとを含み、
前記画像変更手段は前記画像変化データを変更する、請求項１記載のキャラクタ再生装置。
【請求項３】
前記画像変更操作が行われたとき前記画像変化データの初期値を基準とする拡大／縮小率を決定する決定手段をさらに備え、
前記音程変更手段は前記決定手段において決定された、対応する同じ拡大／縮小率に基づいて前記音程パラメータを変更する、請求項２記載のキャラクタ再生装置。
【請求項４】
前記画像変更操作は前記キャラクタ画像の形状が拡大する方向の操作である第１変更操作と前記キャラクタ画像の形状が縮小する方向の操作である第２変更操作とを含み、
前記音程変更手段は、前記第１変更操作が行われたとき音程が低くなるように前記音程パラメータを変更し、前記第２変更操作が行われたとき音程が高くなるように前記音程パラメータを変更する、請求項１ないし３のいずれかに記載のキャラクタ再生装置。
【請求項５】
前記音程パラメータは基本音程および音程変更量を含み、
前記音程変更手段は前記音程変更量を変更する、請求項１ないし４のいずれかに記載のキャラクタ再生装置。
【請求項６】
表示手段と、記憶手段と、操作手段とを備えた装置をキャラクタ再生装置として機能させるプログラムであって、当該装置のコンピュータに、
前記記憶手段に記憶されたキャラクタ画像データに基づいてキャラクタ画像を前記表示手段上に生成する画像生成ステップ、
前記キャラクタ画像データに対応し、音程パラメータを含む前記記憶手段に記憶されたキャラクタ音声データに基づいてキャラクタ音声を生成する音声生成ステップ、
前記操作手段に基づく画像変更操作に従って前記キャラクタ画像データを変更する画像変更ステップ、および
前記画像変更操作に従った前記キャラクタ画像データの変更と同じ変更に応じて前記音程パラメータを変更する音程変更ステップを実行させる、キャラクタ再生プログラム。
【請求項７】
前記キャラクタ画像データは前記キャラクタ画像の基本形状を定義する基本画像データと前記基本形状の少なくとも一部に変化を施すための画像変更データとを含み、
前記画像変更ステップは前記画像変化データを変更するステップである、請求項６記載のキャラクタ再生プログラム。
【請求項８】
前記画像変更操作が行われたとき前記画像変化データの初期値を基準とする拡大／縮小率を決定する決定ステップをさらに備え、
前記音程変更ステップは前記決定ステップにおいて決定された、対応する同じ拡大／縮小率に基づいて前記音程パラメータを変更する、請求項７記載のキャラクタ再生プログラム。
【請求項９】
前記画像変更操作は前記キャラクタ画像の形状が拡大する方向の操作である第１変更操作と前記キャラクタ画像の形状が縮小する方向の操作である第２変更操作を含み、
前記音程変更ステップは、前記第１変更操作が行われたとき音程が低くなるように前記音程パラメータを変更し、および前記第２変更操作が行われたとき音程が高くなるように前記音程パラメータを変更する、請求項６ないし８のいずれかに記載のキャラクタ再生プログラム。
【請求項１０】
前記記憶手段に記憶された前記音程パラメータは基本音程および音程変更量を含み、
前記音程変更ステップは前記音程変更量を変更するステップである、請求項６ないし９のいずれかに記載のキャラクタ再生プログラム。
【手続補正２】
【補正対象書類名】明細書
【補正対象項目名】０００６
【補正方法】変更
【補正の内容】
【０００６】
請求項１の発明のキャラクタ再生装置によれば、画像生成手段は、キャラクタ画像データに基づいてキャラクタ画像を生成する。音声生成手段は、キャラクタ画像データに関連付けられたかつ音程パラメータを含むキャラクタ音声データに基づいて、キャラクタ音声を生成する。画像変更手段は、画像変更操作に従ってキャラクタ画像データを変更する。音声変更手段は、画像変更手段による変更に応じて、音程パラメータを変更する。
【手続補正３】
【補正対象書類名】明細書
【補正対象項目名】０００７
【補正方法】変更
【補正の内容】
【０００７】
請求項１のキャラクタ再生装置（１１：実施例で相当する参照番号）では、画像生成手段（１１ａ，１１ｃ，１１ｄ，Ｓ１７）は、キャラクタ画像データに基づいてキャラクタ画像を再生する。音声生成手段（１１ａ，１１ｅ，１１ｆ，Ｓ４５）は、キャラクタ画像データに関連付けられたかつ音程パラメータを含むキャラクタ音声データに基づいて、キャラクタ音声を生成する。画像変更手段（１１ａ，Ｓ２９）は、画像変更操作に従ってキャラクタ画像データを変更する。音声変更手段（１１ａ，Ｓ３９，Ｓ４１，Ｓ４３）は、画像変更手段による変更に応じて、音程パラメータを変更する。
【手続補正４】
【補正対象書類名】明細書
【補正対象項目名】０００９
【補正方法】変更
【補正の内容】
【０００９】
請求項２の発明に従うキャラクタ生成装置は、請求項１に従属し、キャラクタ画像データは、キャラクタ画像の基本形状を定義する基本画像データと、基本形状の少なくとも一部に変更を施すための画像変化データとを含む。画像変更手段は、画像変化データを変更する。
【手続補正５】
【補正対象書類名】明細書
【補正対象項目名】００１０
【補正方法】変更
【補正の内容】
【００１０】
請求項２の発明では、キャラクタ画像データは基本画像データおよび画像変化データを含む。基本画像データはキャラクタ画像の基本形状を定義するデータであり、画像変化データは基本形状の少なくとも一部に変化を施すためのデータである。画像変更手段は、画像変化データを更新する。この場合、基本画像データは何ら修正されず、データ管理が簡単になる。
【手続補正６】
【補正対象書類名】明細書
【補正対象項目名】００１１
【補正方法】変更
【補正の内容】
【００１１】
請求項３の発明に従うキャラクタ再生装置は、請求項２に従属し、決定手段は、画像変更操作が行われたとき画像変化データの初期値を基準とする拡大／縮小率を決定する。音程変更手段は決定手段において決定された、対応する同じ拡大／縮小率に基づいて音程パラメータを変更する。これによって、初期状態に容易に復帰することができる。
【手続補正７】
【補正対象書類名】明細書
【補正対象項目名】００１２
【補正方法】変更
【補正の内容】
【００１２】
請求項３の発明では、決定手段（１１ａ，４１ｆ，Ｓ３１）は、画像変更操作が行われたとき、画像変化データの初期値を基準とする拡大／縮小率を決定する。音程変更手段は、決定された、対応する拡大／縮小率に基づいて音程パラメータを更新する。これによって、初期状態に容易に復帰することができる。
【手続補正８】
【補正対象書類名】明細書
【補正対象項目名】００１３
【補正方法】変更
【補正の内容】
【００１３】
請求項４の発明に従うキャラクタ再生装置は、請求項１ないし３のいずれかに従属し、画像変更操作は、キャラクタ画像の形状が拡大する方向の操作である第１変更操作と、キャラクタ画像の形状が縮小する方向の操作である第２変更操作とを含む。音程変更手段は、第１変更操作が行われたとき音程が低くなるように音程パラメータを変更し、第２変更操作が行われたとき音程が高くなるように音程パラメータを変更する。
【手続補正９】
【補正対象書類名】明細書
【補正対象項目名】００１４
【補正方法】変更
【補正の内容】
【００１４】
請求項４の発明では、画像変更操作は、第１変更操作および第２変更操作を含む。第１変更操作はキャラクタ画像の形状が拡大する方向の操作であり、第２変更操作はキャラクタ画像の形状が縮小する方向の操作である。音程変更手段（Ｓ３９、Ｓ４１）は、第１変更操作が行われたとき音程が低くなるように音程パラメータを変更し、第２変更操作が行われたとき音程が高くなるように音程パラメータを変更する。
【手続補正１０】
【補正対象書類名】明細書
【補正対象項目名】００１６
【補正方法】変更
【補正の内容】
【００１６】
請求項５の発明に従うキャラクタ再生装置は、請求項１ないし４のいずれかに従属し、音程パラメータは基本音程および音程変更量を含む。音程変更手段は、音程変更量を変更する。
【手続補正１１】
【補正対象書類名】明細書
【補正対象項目名】００１７
【補正方法】変更
【補正の内容】
【００１７】
請求項５の発明では、音程パラメータは、基本音程および音程変更量を含む。音程変更手段は、音程変更量を変更する。この場合、基本音程は何ら修正されず、データ処理が簡単になる。
【手続補正１２】
【補正対象書類名】明細書
【補正対象項目名】００１８
【補正方法】変更
【補正の内容】
【００１８】
請求項６の発明に従うプログラムは、表示手段と、記憶手段と、操作手段とを備えた装置をキャラクタ再生装置として機能させるプログラムである。当該プログラムは以下のステップを含む。画像生成ステップは、記憶手段に記憶されたキャラクタ画像データに基づいてキャラクタ画像前記表示手段上に生成する。音声生成ステップは、キャラクタ画像データに対応し、音程パラメータを含む前記記憶手段に記憶されたキャラクタ音声データに基づいて、キャラクタ音声を生成する。画像更新ステップは、操作手段に基づく画像変更操作に従ってキャラクタ画像データを変更する。音程更新ステップは、画像変更操作に従ったキャラクタ画像データの変更と同じ変更に応じて音程パラメータを更新する。
【手続補正１３】
【補正対象書類名】明細書
【補正対象項目名】００１９
【補正方法】変更
【補正の内容】
【００１９】
請求項６の発明では、表示手段（１１ｃ、１１ｄ、１４）と、記憶手段（１１ｂ）と、操作手段（１２）とを備えた装置をキャラクタ再生装置として機能させるプログラム（４１ｇ）は、キャラクタ再生装置（１１）のプロセサ（１１ｃ）によって実行される。画像生成ステップ（Ｓ１７）は、キャラクタ画像データに基づいてキャラクタ画像を表示手段上に生成する。音声生成ステップ（Ｓ４５）は、キャラクタ画像データに対応し、音程パラメータを含む記憶手段に記憶されたキャラクタ音声データに基づいて、キャラクタ音声を生成する。画像変更ステップ（Ｓ２９）は、操作手段に基づく画像変更操作に従ってキャラクタ画像データを変更する。音程更新ステップ（Ｓ３９，Ｓ４１，Ｓ４３）は、画像変更操作に従ったキャラクタ画像データの変更と同じ変更に応じて音程パラメータを更新する。
【手続補正１４】
【補正対象書類名】明細書
【補正対象項目名】００２１
【補正方法】変更
【補正の内容】
【００２１】
請求項７の発明に従うキャラクタ再生プログラムは、請求項６に従属し、キャラクタ画像データはキャラクタ画像の基本形状を定義する基本画像データと基本形状の少なくとも一部に変更を施すための画像変更データとを含み、画像変更ステップは画像変化データを更新するステップである。
【手続補正１５】
【補正対象書類名】明細書
【補正対象項目名】００２２
【補正方法】変更
【補正の内容】
【００２２】
請求項７の発明では、キャラクタ画像データは基本画像データおよび画像変化データを含む。基本画像データはキャラクタ画像の基本形状を定義するデータであり、画像変化データは基本形状の少なくとも一部に変更を施すためのデータである。画像変更ステップは、画像変更データを変更する。この場合、基本画像データは何ら修正されず、データ管理が簡単になる。
【手続補正１６】
【補正対象書類名】明細書
【補正対象項目名】００２３
【補正方法】変更
【補正の内容】
【００２３】
請求項８の発明に従うキャラクタ再生プログラムは、請求項７に従属し、画像変更操作が行われたとき画像変化データの初期値を基準とする拡大／縮小率を決定する決定ステップをさらに備え、音程変更ステップは決定ステップによって決定された拡大／縮小率に基づいて音程パラメータを変更するステップである。
【手続補正１７】
【補正対象書類名】明細書
【補正対象項目名】００２４
【補正方法】変更
【補正の内容】
【００２４】
請求項８の発明では、決定ステップ（Ｓ３１）は、画像変更操作が行われたとき画像変化データの初期値を基準とする拡大／縮小率を決定する。音程変更ステップでは、決定ステップによって決定された拡大／縮小率に基づいて音程パラメータを変更する。これによって、初期状態に容易に復帰することができる。
【手続補正１８】
【補正対象書類名】明細書
【補正対象項目名】００２５
【補正方法】変更
【補正の内容】
【００２５】
請求項９の発明に従うキャラクタ再生プログラムは、請求項６ないし８のいずれかに従属し、画像変更操作はキャラクタ画像の形状が拡大する方向の操作である第１変更操作とキャラクタ画像の形状が縮小する方向の操作である第２変更操作を含む。音程更新ステップは、第１変更操作が行われたとき音程が低くなるように音程パラメータを変更し、第２更新操作が行われたとき音程が高くなるように音程パラメータを変更する。
【手続補正１９】
【補正対象書類名】明細書
【補正対象項目名】００２６
【補正方法】変更
【補正の内容】
【００２６】
請求項９の発明では、画像変更操作は、第１変更操作および第２変更操作を含む。第１変更操作はキャラクタ画像の形状が拡大する方向の操作であり、第２変更操作はキャラクタ画像の形状が縮小する方向の操作である。音程更新ステップ（Ｓ３９、Ｓ４１）は、第１変更操作が行われたとき音程が低くなるように音程パラメータを変更し、第２更新操作が行われたとき音程が高くなるように音程パラメータを変更する。これによって、キャラクタ画像の形状が拡大されると音程が低くなり、キャラクタ画像の形状が縮小されると音程が高くなる。
【手続補正２０】
【補正対象書類名】明細書
【補正対象項目名】００２７
【補正方法】変更
【補正の内容】
【００２７】
請求項１０の発明に従うキャラクタ再生プログラムは、請求項６ないし９のいずれかに従属し、記憶手段に記憶された音程パラメータは基本音程および音程変更量を含む。音程変更ステップは、音程変更量を変更するステップである。
【手続補正２１】
【補正対象書類名】明細書
【補正対象項目名】００２８
【補正方法】変更
【補正の内容】
【００２８】
請求項１０の発明では、記憶手段に記憶された音程パラメータは基本音程および音程変更量を含む。音程変更ステップは、音程変更量を変更するステップである。この場合、基本音程は何ら修正されず、データ処理が簡単になる。
【手続補正２２】
【補正対象書類名】明細書
【補正対象項目名】００３７
【補正方法】変更
【補正の内容】
【００３７】
ＣＰＵ１１ａには、画像処理ユニット１１ｃおよび音声処理ユニット１１ｅがさらに接続されている。画像処理ユニット１１ｃは、ＣＰＵ１１ａからの指示に基づいて、ＲＡＭ１１ｂに記憶された画像データを処理する。画像処理ユニット１１ｃによって生成された画像データは、ビデオエンコーダ１１ｄを介してＣＲＴ１４から出力される。音声処理ユニット１１ｅは、ＣＰＵ１１ａからの指示に基づいて、ＲＡＭ１１ｂに記憶された音声データを処理する。音声処理ユニット１１ｅによって生成された音声データは、スピーカ１７から出力される。
【手続補正２３】
【補正対象書類名】明細書
【補正対象項目名】００３８
【補正方法】変更
【補正の内容】
【００３８】
ＣＰＵ１１ａにはさらに、インタフェース１１ｇが接続される。インタフェース１１ｇは、ＲＡＭ１１ｂにも接続される。コントローラ１２は、インタフェース１１ｇを介してＣＰＵ１１ａに接続される。インタフェース１１ｇにはまた、ディスクドライブユニット１１ｆが接続される。外部記憶媒体１３のデータは、ＣＰＵ１１ａの指示に基づいて、ディスクドライブユニット１１ｆによって読み取られる。読み取られたデータは、ＲＡＭ１１ｂに転送される。プログラム処理によって得られたデータを保存するとき、このデータは、ＲＡＭ１１ｂから読み出され、インタフェース１１ｇを介して外部データ記憶媒体（たとえばメモリカード）１５に転送される。
【手続補正２４】
【補正対象書類名】図面
【補正対象項目名】図２
【補正方法】変更
【補正の内容】
【図２】
2005305007.tif 000001